(57)【特許請求の範囲】
【請求項１】
梯子上端の建物側の面に着脱自在に取り付けられる梯子アタッチメントであって、
踏桟と平行であり左右の側桁から両端が突出する上下一対の横桟と、
前記側桁と平行であり且つ左右の該側桁の内側に配置され前記一対の横桟を上下端で固定する一対の縦桁と、
建物と反対側から前記踏桟を挟み込んで前記縦桁に貫通させた両端にナットを螺合して前記一対の横桟及び前記一対の縦桁からなるベース枠を着脱自在に前記踏桟に固定する一対のＵ字ボルトと、
を具備することを特徴とする梯子アタッチメント。
【請求項２】
請求項１記載の梯子アタッチメントであって、
前記縦桁には異なる上下位置に前記Ｕ字ボルトを貫通させる複数の取付調整穴が設けられていることを特徴とする梯子アタッチメント。
【請求項３】
請求項１又は２記載の梯子アタッチメントであって、
前記上下一対の横桟の両端には、それぞれに上下に渡って連結するように固定され、且つ建物側に突出する左右一対の脚部が固定されていることを特徴とする梯子アタッチメント。
【請求項４】
請求項３記載の梯子アタッチメントであって、
前記一対の脚部のそれぞれは、前記側桁から垂直に突出する第一脚部と、該第一脚部の脚先端と前記側桁を固定する第二脚部と、によって側面視直角三角形状に形成され、
前記第一脚部の脚先端には前記踏桟と同方向の支持軸まわりに回動自在となった接地足が設けられていることを特徴とする梯子アタッチメント。
【請求項５】
請求項４記載の梯子アタッチメントであって、
前記支持軸が前記接地足の重心位置から外れて配置されることを特徴とする梯子アタッチメント。
【請求項６】
請求項３記載の梯子アタッチメントであって、
前記上下一対の横桟には、左右両端のそれぞれに渡って縦に固定され建物側に突出する一対の逆Ｊ字状のフックが固定されていることを特徴とする梯子アタッチメント。
【請求項７】
請求項１〜請求項６のいずれか１つに記載の梯子アタッチメントであって、
前記上下一対の横桟には、左右の端部のそれぞれに渡って縦に掛け渡される取付パイプが固定され、
それぞれの前記取付パイプは、手摺パイプを取付パイプの両端のいずれか一方から着脱自在に装着することを特徴とする梯子アタッチメント。
【請求項８】
請求項１〜請求項７のいずれか１つに記載の梯子アタッチメントであって、
前記Ｕ字ボルトが、相互にスライド自在となった一対の表梯子と裏梯子とからなる伸縮梯子の建物側となる前記裏梯子の前記踏桟に取り付けられることを特徴とする梯子アタッチメント。
【発明の詳細な説明】
【技術分野】
【０００１】
本発明は、梯子上端に、各種の拡張部品を取り付ける梯子アタッチメントに関する。
【背景技術】
【０００２】
梯子昇降時の安全性を高める拡張部品が各種提案されている。例えば特許文献１には梯子を使用する時は、梯子の下部で側方に開いて接地し、不転倒範囲を広めることのできる、はしごや脚立の転倒防止支えが開示されている。特許文献２には梯子における支柱に案内支持されて上下動自在なスライダに、屋根上に載置可能な屋根載置部材を備えることで、屋根に立て掛けたときに軒先及び樋を変形損傷することのない、はしご及びはしごに使用する樋保護具が開示されている。特許文献３には梯子上端近傍の左右の側桁に、手摺を設けたロフト用梯子が開示されている。
【先行技術文献】
【特許文献】
【０００３】
【特許文献１】特開２００６−２４９８９０号公報
【特許文献２】特開２００９−４１２１８号公報
【特許文献３】特開２００６−１８３２５９号公報
【発明の概要】
【発明が解決しようとする課題】
【０００４】
しかしながら、従来の拡張部品は、一般的に梯子自体を穴あけ、ビス止めなどにより加工して設ける構造なので、汎用性が低く、所望時には簡単に使用できないことから、実用的でなかった。また、横倒れ防止の目的で梯子下部に取り付けられる拡張部品は、梯子上端が支持されないため、安全性を十分に確保することができなかった。さらに、上記したロフト用梯子等のように梯子上端に手摺を備えるものもあるが、後加工によって取り付けられたり、左右の手摺の幅が側桁の幅と同じで、作業員が通過し難く、腰ベルトに装備した工具が干渉したりして、高所作業での安全性を損ねる虞もあった。さらに、梯子の全長が延びてしまう構造では、車載全長が決まっているので車に載せることが不可能となった。また、二連梯子に取り付ける場合、固定部分が干渉して縮めることができなくなる問題もあった。
【０００５】
本発明は上記状況に鑑みてなされたもので、その目的は、簡単に梯子本体に取り付けでき、昇降の安全性を高める拡張部品を安全且つ確実に梯子本体に取り付けできる梯子アタッチメントを提供することにある。
【課題を解決するための手段】
【０００６】
次に、上記の課題を解決するための手段を、実施の形態に対応する図面を参照して説明する。
本発明の請求項１記載の梯子アタッチメント１１は、梯子上端１３の建物側の面に着脱自在に取り付けられる梯子アタッチメント１１であって、
踏桟１９と平行であり左右の側桁１７から両端２１が突出する上下一対の横桟２３と、
前記側桁１７と平行であり且つ左右の該側桁１７の内側に配置され前記一対の横桟２３を上下端で固定する一対の縦桁２５と、
建物と反対側から前記踏桟１９を挟み込んで前記縦桁２５に貫通させた両端２１にナット２７を螺合して前記一対の横桟２３及び前記一対の縦桁２５からなるベース枠２９を着脱自在に前記踏桟１９に固定する一対のＵ字ボルト３１と、
を具備することを特徴とする。
【０００７】
この梯子アタッチメント１１では、梯子本体１５の踏桟１９に、建物と反対側からＵ字ボルト３１が挟み込まれ、ナット２７にて縦桁２５に固定される。これにより、ベース枠２９が、上下の横桟２３を側桁１７に当接し、縦桁２５が一箇所のＵ字ボルト３１で３点、一対のＵ字ボルト３１で合計６点にて踏桟１９に固定されてアタッチメント１７が確実に梯子本体１５に固定される。上下の横桟２３が左右の側桁１７から突出するので、各種の拡張部品が、梯子本体１５から左右に突出させた状態で取り付け可能となる。
【０００８】
請求項２記載の梯子アタッチメント１１は、請求項１記載の梯子アタッチメント１１であって、
前記縦桁２５には異なる上下位置に前記Ｕ字ボルト３１を貫通させる複数の取付調整穴３５が設けられていることを特徴とする。
【０００９】
この梯子アタッチメント１１では、上下で異なる位置の複数の取付調整穴３５、例えば３つの取付調整穴３５にＵ字ボルト３１が装着されることで、踏桟１９に対して、ベース枠２９が取付調整穴３５のピッチ分、上下に移動調整可能となる。
【００１０】
請求項３記載の梯子アタッチメント１１は、請求項１又は２記載の梯子アタッチメント１１であって、
前記上下一対の横桟２３には、左右の端部のそれぞれに上下に渡って連結するように固定され、且つ建物側に突出する左右一対の脚部３７が固定されていることを特徴とする。
【００１１】
この梯子アタッチメント１１では、ベース枠２９の左右両端２１から脚部３７が建物に向かって突出するので、梯子本体１５の側桁１７の建物側の面が樋３９に干渉する前に、脚部３７が屋根４１に接地可能となる。
【００１２】
請求項４記載の梯子アタッチメント１１は、請求項３記載の梯子アタッチメント１１であって、
前記一対の脚部３７のそれぞれは、前記側桁１７から垂直に突出する第一脚部５５と、該第一脚部５５の脚先端５７と前記側桁１７を固定する第二脚部５９と、によって側面視直角三角形状に形成され、
前記第一脚部５５の脚先端５７には前記踏桟１９と同方向の支持軸６１まわりに回動自在となった接地足６３が設けられていることを特徴とする。
【００１３】
この梯子アタッチメント１１では、脚先端５７が接地足６３を介して屋根４１や外壁等に接地され、脚先端５７が滑りにくく接地可能となる。
【００１４】
請求項５記載の梯子アタッチメント１１は、請求項４記載の梯子アタッチメント１１であって、
前記支持軸６１が前記接地足６３の重心位置から外れて配置されることを特徴とする。
【００１５】
この梯子アタッチメント１１では、使用時に、梯子本体１５を鉛直軸に対して傾斜させて立てると、接地足６３が支持軸６１と重心を結ぶ直線が鉛直方向（重力方向）となる姿勢に回転配置され、常に接地し易い向きとなる。
【００１６】
請求項６記載の梯子アタッチメント１１は、請求項３記載の梯子アタッチメント１１であって、
前記上下一対の横桟２３の両端には、それぞれに上下に渡って固定され建物側に突出する一対の逆Ｊ字状のフック６７が固定されていることを特徴とする。
【００１７】
この梯子アタッチメント１１では、ベース枠２９の左右両端２１に一対の逆Ｊ字状のフック６７が固定されることで、梯子上端１３を支持する相手が水平部材や水平縁部であっても、掛止が可能となる。
【００１８】
請求項７記載の梯子アタッチメント１１は、請求項１〜請求項６のいずれか１つに記載の梯子アタッチメント１１であって、
前記上下一対の横桟２３には、左右の端部のそれぞれに上下に渡って掛け渡される取付パイプ４３が固定され、
それぞれの前記取付パイプ４３は、手摺パイプ３３を取付パイプ４３の両端のいずれか一方から着脱自在に装着することを特徴とする。
【００１９】
この梯子アタッチメント１１では、ベース枠２９の左右両端２１に手摺パイプ３３が着脱自在に装着できる。この手摺パイプ３３を具備することで屋根４１への昇降がより安全なものとなる。また、装着された手摺パイプ３３は、左右の間隔が梯子本体１５の幅よりも広くなる。これにより、複数の工具をベルトに装備した作業者であっても屋根４１への昇降が楽になる。
【００２０】
請求項８記載の梯子アタッチメント１１は、請求項１〜７のいずれか１つに記載の梯子アタッチメント１１であって、
前記Ｕ字ボルト３１が、相互にスライド自在となった一対の表梯子６９と裏梯子７１とからなる伸縮梯子７３の建物側となる前記裏梯子７１の前記踏桟１９に取り付けられることを特徴とする。
【００２１】
この梯子アタッチメント１１では、取り付け対象となる梯子本体１５が二連梯子などの伸縮梯子７３の裏梯子７１であっても、ベース枠２９が踏桟１９を挟み込むＵ字ボルト３１のみによって固定されるので、この二連梯子７３のスライドを妨げることがない。
【発明の効果】
【００２２】
本発明に係る請求項１記載の梯子アタッチメントによれば、手摺パイプや脚部を固定するためのベース枠が、梯子本体への加工を不要にしてＵ字ボルトで簡単に着脱でき、しかも、３点にて固定されるので非常に安定して梯子本体に取り付けできる。ベース枠を井桁としたので、手摺パイプや脚部等の様々な拡張部品を簡単に安定して取り付けできる。また、梯子以外に脚立にも容易に取り付けできる。この結果、簡単に梯子本体に取り付けでき、昇降の安全性を高める拡張部品を安全且つ確実に取り付けできる。
【００２３】
請求項２記載の梯子アタッチメントによれば、ベース枠の固定位置を、上下に隣接する踏桟の間で、側桁の長手方向に調整することができる。
【００２４】
請求項３記載の梯子アタッチメントによれば、左右の側桁の幅よりも広い幅で梯子上端に取り付けでき、梯子下端に取り付けるよりも安定し、梯子の横倒れを防止できる。
【００２５】
請求項４記載の梯子アタッチメントによれば、上端の脚部で支える構造なので、樋の破損を防止できるとともに、接地足が屋根面に接地するので梯子のズレ（滑り）を防止できる。また、一対の脚部の幅が左右の側桁の幅よりも広いので、横方向に安定する。
【００２６】
請求項５記載の梯子アタッチメントによれば、重心をずらすことで接地足が常に接地し易い姿勢に回転配置され、様々な勾配の屋根や或いは垂直面の外壁であっても、接地足を即座に合わせることができる。
【００２７】
請求項６記載の梯子アタッチメントによれば、梯子上端を、パラペットやベランダ手摺などに掛止することができる。
【００２８】
請求項７記載の梯子アタッチメントによれば、手摺パイプを梯子上端よりも延長させて設けることができ、且つ左右の手摺パイプが梯子幅よりも広いので、作業者がこれに掴まることで危険度が減少し、しかも、左右の手摺パイプの間を楽に通ることができ、安全に屋根に昇降できる。また、手摺パイプを着脱式とし、逆さまに取り付けできるようにしたので、梯子本体に取り付けたまま車に乗せることができる。
【００２９】
請求項８記載の梯子アタッチメントによれば、Ｕ字ボルトのみが表梯子と裏梯子の間に配置されるので、裏梯子にこの梯子アタッチメントを取り付けた場合には、表梯子に干渉することがなく、ベース枠を踏桟に固定したまま二連梯子などの伸縮梯子を縮めて使用・収納することができる。
【図面の簡単な説明】
【００３０】
【図１】本発明に係る梯子アタッチメントの分解斜視図である。
【図２】脚部を備えた梯子アタッチメントの斜視図である。
【図３】脚部及び手摺パイプを備えた梯子アタッチメントの斜視図である。
【図４】図３に示した梯子アタッチメントの正面図である。
【図５】図３に示した梯子アタッチメントの側面図である。
【図６】図３に示した梯子アタッチメントの分解斜視図である。
【図７】（ａ）は手摺パイプの装着された梯子アタッチメントの要部斜視図、（ｂ）は手摺パイプの取り外された梯子アタッチメントの要部斜視図である。
【図８】梯子上端を外壁に支持した梯子アタッチメントの側面図である。
【図９】ベース枠を逆に取り付けた梯子アタッチメントの側面図である。
【図１０】梯子上端を屋根に支持した梯子アタッチメントの側面図である。
【図１１】梯子上端にフックを取り付けた梯子アタッチメントの斜視図である。
【図１２】（ａ）は手摺パイプが逆に取り付けられた梯子アタッチメントの側面図、（ｂ）手摺パイプが正規の向きに取り付けられた梯子アタッチメントの側面図である。
【発明を実施するための形態】
【００３１】
以下、本発明の実施の形態を図面を参照して説明する。
図１は本発明に係る梯子アタッチメントの分解斜視図である。
本実施の形態による梯子アタッチメント１１は、梯子上端１３の建物側の面に着脱自在に取り付けられ、各種の拡張部品を取り付け可能とする。梯子アタッチメント１１の取り付け対象となる梯子本体１５は、左右一対の平行な側桁１７が複数の上下平行な踏桟１９によって連結されてなる。
【００３２】
梯子アタッチメント１１は、踏桟１９と平行であり左右の側桁１７から両端２１が突出する上下一対の横桟２３と、側桁１７と平行であり且つ左右の側桁１７の内側に配置され一対の横桟２３を上下端で固定する一対の縦桁２５とを有する。一対の横桟２３及び一対の縦桁２５はベース枠２９を構成する。ベース枠２９は、建物と反対側から踏桟１９を挟み込んで縦桁２５に貫通させたＵ字ボルト３１の先端にナット２７を螺合して着脱自在に踏桟１９に固定される。なお、ナット２７は、蝶ナットであってもよい。
【００３３】
ベース枠２９の取り付けにＵ字ボルト３１が用いられることで、梯子本体１５への加工は不要で簡単に取り付けられ、さらに、梯子本体１５の片面側から取り付けが可能である。また、梯子にも脚立にも取り付けが可能となる。
【００３４】
梯子アタッチメント１１は、ベース枠２９の横桟２３が側桁１７の左右から十分に突出する。この側桁１７から突出した横桟２３の両端に、手摺パイプ３３や脚部等の拡張部品が固定されることとなる。
【００３５】
縦桁２５には異なる上下位置にＵ字ボルト３１を貫通させる少なくとも３つの取付調整穴３５が設けられている。梯子アタッチメント１１は、上下で異なる位置の取付調整穴３５にＵ字ボルト３１が装着されることで、踏桟１９に対して、ベース枠２９が取付調整穴３５のピッチ分、上下に移動調整可能となる。これにより、ベース枠２９の固定位置を、上下に隣接する踏桟１９の間で、側桁１７の長手方向である上下方向に調整できるようになっている。
【００３６】
図２は脚部３７を備えた梯子アタッチメント１１の斜視図である。
梯子アタッチメント１１は、脚部３７のみが固定されるものであってもよい。この場合、上下一対の横桟２３には左右一対の脚部３７が固定され、これら一対の脚部３７は横桟２３の左右の両端のそれぞれにすなわち上横桟２３と下横桟２３に渡って固定されて建物側に突出する。ベース枠２９の両端２１から脚部３７が建物に向かって突出するので、後述するように、梯子本体１５の側桁１７の建物に向く面が樋に干渉する前に、脚部３７が屋根に接地可能となる。また、左右の側桁１７の幅よりも広い幅で梯子上端１３に取り付けでき、梯子の横倒れを防止できる。
【００３７】
図３は脚部３７及び手摺パイプ３３を備えた梯子アタッチメント１１の斜視図、図４は図３に示した梯子アタッチメント１１の正面図、図５は図３に示した梯子アタッチメント１１の側面図、図６は図３に示した梯子アタッチメント１１の分解斜視図、図７（ａ）は手摺パイプ３３の装着された梯子アタッチメント１１の要部斜視図、（ｂ）は手摺パイプ３３の取り外された梯子アタッチメント１１の要部斜視図である。
手摺パイプ３３はベース枠２９に対して着脱自在に取り付けられる。すなわち、上下一対の横桟２３の両端には、それぞれ上下に渡って取付パイプ４３が固定され、それぞれの取付パイプ４３は、手摺パイプ３３をパイプ両端のいずれか一方から着脱自在に装着する。なお、手摺パイプ３３は、梯子上端１３から６０ｃｍ程度突出させることが好ましい。
【００３８】
梯子アタッチメント１１では、手摺パイプ３３を梯子上端１３よりも延長させて設けることができる。装着された手摺パイプ３３は、左右の間隔が梯子本体１５の幅よりも広くなる。これにより、作業者は手摺パイプ３３に掴まることで危険度が減少し、しかも、左右の手摺パイプ３３の間を楽に通ることができる。複数の工具をベルトに装備した作業者であっても屋根４１への昇降が楽になり、安全に梯子上端１３から屋根４１へ、及び屋根４１から梯子上端１３へ移動できる。
【００３９】
手摺パイプ３３の固定には図７に示すＥ型固定部材４５を用いることで、簡単且つ確実に手摺パイプ３３を固定できる。Ｅ型固定部材４５は、可撓性を有する樹脂材からなるＣ字状リング４７と、その内側に突出させた固定ピン４９と、からなる。取付パイプ４３には直径方向に貫通した固定孔５１が穿設され、固定孔５１には固定ピン４９が貫通する。手摺パイプ３３には固定孔５１に一致する挿嵌孔５３が直径方向に貫通して穿設される。したがって、手摺パイプ３３を取付パイプ４３に挿入し、固定孔５１に挿嵌孔５３を一致させ、固定孔５１からＥ型固定部材４５の固定ピン４９を挿入することで、Ｅ型固定部材４５を取付パイプ４３の外周に弾性保持させるとともに、取付パイプ４３と手摺パイプ３３とを脱落規制して取り付けることができる。なお、本実施の形態では、取付パイプ４３に穿設される固定孔５１の位置を、取付パイプ４３の長さのほぼ１／２の位置とされ、また、この取付パイプ４３に挿入される手摺パイプ３３の一端部は、取付パイプ４３の長さと同等の長さとし、リング状のストッパＳが固定されており、この一端部における挿嵌孔５３の位置をストッパＳの位置から、上記取付パイプ４３の１／２の長さ位置として穿設されており、すなわち、取付パイプ４３に対していずれの方向から挿入しても手摺パイプ３３の挿嵌孔５３と取付パイプ４３の固定孔５１の両位置が一致するようになり、Ｅ型固定部材４５を用いることで、どちらの挿入位置でもストッパＳで挿入が止まった位置で固定が可能となっている。なお、手摺パイプ４３に穿設する挿嵌孔５３は、所定間隔で複数箇所に設けることで、手摺パイプ３３の延出長を調整可能とすることが可能となる。
【００４０】
このように、梯子アタッチメント１１では、梯子本体１５の踏桟１９に、建物と反対側からＵ字ボルト３１が挟み込まれ、ナット２７にて縦桁２５に固定される。これにより、ベース枠２９が、上下の横桟２３を側桁１７に当接し、縦桁２５が踏桟１９に固定されて一箇所のＵ字ボルト３１で３点、一対のＵ字ボルト３１で合計６点にて確実に梯子本体１５に固定される。上下の横桟２３が左右の側桁１７から突出するので、各種の拡張部品が、梯子本体１５から左右に突出させた状態で取り付け可能となる。
【００４１】
図５に示すように、一対の脚部３７のそれぞれは、側桁１７から垂直に突出する第一脚部５５と、この第一脚部５５の脚先端５７と側桁１７を固定する第二脚部５９と、によって側面視直角三角形状に形成される。第一脚部５５の脚先端５７には踏桟１９と同方向の支持軸６１まわりに回動自在となった接地足６３が設けられている。支持軸６１は、接地足６３の重心位置から外れて配置されている。接地足６３は、重心から外れた位置が支持軸６１に回動自在に支持されていることで、使用時に、梯子本体１５を鉛直に立てると、接地足６３は支持軸６１と重心を結ぶ直線が鉛直方向（重力方向）となる姿勢に回転配置され、常に接地し易い向きとなる。
【００４２】
図８は梯子上端１３を外壁６５に支持した梯子アタッチメント１１の側面図、図９はベース枠２９を逆に取り付けた梯子アタッチメント１１の側面図、図１０は梯子上端１３を屋根４１に支持した梯子アタッチメント１１の側面図である。
接地足６３を回動自在に備えた梯子アタッチメント１１では、脚先端５７が接地足６３を介して屋根４１や外壁６５等に接地され、脚先端５７が滑りにくく接地可能となる。また、梯子アタッチメント１１を外壁６５で使用する場合、脚部３７が接することで、外壁６５と体の距離を十分保つことができ、作業者の重心が梯子や脚立から離れないので、体を安定させ作業を行うことができる。そして、図１０に示すように、接地足６３が屋根面に接地するので梯子本体１５のズレ（滑り）を防止できる。また、接地足６３の重心をずらすことで、接地足６３が常に接地し易い姿勢に回転配置され、様々な勾配の屋根４１や垂直な外壁６５であっても、接地足６３の当接面が梯子本体１５と略反対向き、すなわちう梯子上端１３を接地させる方向の向きとなり接地足６３を即座に合わせることができる。
【００４３】
梯子アタッチメント１１は、梯子本体１５の側桁１７が樋３９に干渉する前に、脚部３７が屋根４１に接地可能となり、梯子上端１３を脚部３７に受けた接地足６３で支える構造なので、樋３９の破損を防止することができる。また、一対の脚部３７の幅が左右の側桁１７の幅よりも広いので、梯子上端１３を横方向に安定させることができる。このことは、作業者が梯子を昇ることによって重心が梯子上方に移動することで支えとして必要な位置が、従来のような梯子の下部で側方に開いて支えるような転倒防止支えではなく、梯子を上部から吊るような構造であることが梯子の転倒を防止するもので、梯子を安定させ安全性向上につながるものである。
【００４４】
なお、図９に示すように、平屋根などの場合には、ベース枠２９を逆さまに梯子に取り付けることで、脚部３７の直角三角形状が逆となり、建物側の軒部分への干渉を防ぐことができる。
【００４５】
図１１は梯子上端１３にフック６７を取り付けた梯子アタッチメント１１の斜視図である。
梯子アタッチメント１１は、脚部３７に代えて掛止手段を備えても良い。この場合、上下一対の横桟２３の両端には、それぞれ上下に渡って固定され建物側に突出する一対の逆Ｊ字状のフック６７が固定される。ベース枠２９の両端２１に一対の逆Ｊ字状のフック６７が固定されることで、梯子上端１３を支持する相手が水平部材や水平縁部であっても、掛止が可能となる。これにより、梯子上端１３を、パラペットやベランダ手摺などに容易に且つ安全に掛止することができるようになる。
【００４６】
図１２（ａ）は手摺パイプ３３が逆に取り付けられた梯子アタッチメント１１の側面図、（ｂ）手摺パイプ３３が正規の向きに取り付けられた梯子アタッチメント１１の側面図である。
梯子アタッチメント１１は、Ｕ字ボルト３１が、相互にスライド自在となった一対の表梯子６９と裏梯子７１とからなる伸縮梯子としての二連梯子７３の建物側となる裏梯子７１の踏桟１９に取り付けられる。このように、取り付け対象となる梯子本体１５が二連梯子７３の裏梯子７１であっても、ベース枠２９が踏桟１９を挟み込むＵ字ボルト３１のみによって固定されるので、二連梯子７３のスライドを妨げることがない。すなわち、Ｕ字ボルト３１の軸部のみが表梯子６９と裏梯子７１の間に配置されるので、表梯子６９に干渉することがなく、ベース枠２９を踏桟１９に固定したまま二連梯子７３を縮めて使用・収納することができる。
【００４７】
また、手摺パイプ３３を着脱式とし、逆さまに取り付けできるので梯子を含めた全体の長さが大きくならず、これにより車に載せる際に、その車の車長＋１０％以内に納めることが可能となり、梯子本体１５や二連梯子７３に梯子アタッチメント１１を取り付けたまま車に載せ搬送することができる。
【００４８】
したがって、本実施の形態に係る梯子アタッチメント１１によれば、手摺パイプ３３や脚部３７を固定するためのベース枠２９が、梯子本体１５への加工を不要にしてＵ字ボルト３１で簡単に着脱でき、しかも、３点にて固定されるので非常に安定して梯子本体１５に取り付けできる。ベース枠２９を井桁としたので、手摺パイプ３３や脚部３７等の様々な拡張部品を安定して取り付けできる。また、上記した二連梯子７３の他、三連梯子などの伸縮梯子、或いは折り畳み形の梯子などに取り付けることも可能であり、また、梯子以外に脚立にも容易に取り付けでき、さらに脚立の場合、脚立を拡げて梯子状に使用する際などでも本実施の形態の梯子アタッチメント１１を容易に取り付けることができる。この結果、簡単に梯子本体１５に取り付けでき、昇降の安全性を高める拡張部品を安全且つ確実に取り付けできる。
【００４９】
このように、梯子アタッチメント１１では、作業者が梯子や脚立を用い、屋根４１に昇る際や屋根４１から降りる際、あるいは外壁６５で作業を行う際に、梯子や脚立の横倒れ、およびズリ滑りを防止し、作業者の墜落を未然に防ぐことができ、そして、屋根への昇降時の安全性を確保できる。
【符号の説明】
【００５０】
１１…梯子アタッチメント
１３…梯子上端
１７…側桁
１９…踏桟
２１…両端
２３…横桟
２５…縦桁
２７…ナット
２９…ベース枠
３１…Ｕ字ボルト
３３…手摺パイプ
３５…取付調整穴
３７…脚部
４３…取付パイプ
５５…第一脚部
５７…脚先端
５９…第二脚部
６１…支持軸
６３…接地足
６７…フック
６９…表梯子
７１…裏梯子
７３…伸縮梯子（二連梯子）
【要約】
【課題】簡単に梯子本体に取り付けでき、昇降の安全性を高める拡張部品を安全且つ確実に取り付けできる梯子アタッチメントを提供する。
【解決手段】梯子上端１３の建物側の面に着脱自在に取り付けられる梯子アタッチメント１１であって、踏桟１９と平行であり左右の側桁１７から突出する上下一対の横桟２３と、側桁１７と平行であり且つ左右の側桁１７の内側に配置され一対の横桟２３を上下端で固定する一対の縦桁２５と、建物と反対側から踏桟１９を挟み込んで縦桁２５に貫通させた両端２１にナット２７を螺合して一対の横桟２３及び一対の縦桁２５からなるベース枠２９を着脱自在に踏桟１９に固定する一対のＵ字ボルト３１と、を具備する。
【選択図】  図６【図１】
0004737475.tif 000002
【図２】
0004737475.tif 000003
【図３】
0004737475.tif 000004
【図４】
0004737475.tif 000005
【図５】
0004737475.tif 000006
【図６】
0004737475.tif 000007
【図７】
0004737475.tif 000008
【図８】
0004737475.tif 000009
【図９】
0004737475.tif 000010
【図１０】
0004737475.tif 000011
【図１１】
0004737475.tif 000012
【図１２】
0004737475.tif 000013